(57)【要約】【課題】携帯して使用する携帯電話端末およびその制御方法において、内蔵するハードディスクドライブへの書き込みの制限を端末として設けること。【解決手段】送受信部を含む処理部と、処理部により処理され得る情報および処理部により処理された情報を保持可能なハードディスクドライブと、処理部とハードディスクドライブとの間に仲介して接続され、処理部からの情報をハードディスクドライブに転送する制御およびハードディスクドライブからの情報を処理部に転送する制御を行うハードディスクドライブ制御部と、ハードディスクドライブ制御部に付設され、処理部からハードディスクドライブに転送されるべき情報がハードディスクドライブに記録されるのを防止する記録防止部とを具備する。【選択図】図１
2005311615.tif 000002
【特許請求の範囲】
【請求項１】
送受信部を含む処理部と、
前記処理部により処理され得る情報および前記処理部により処理された情報を保持可能なハードディスクドライブと、
前記処理部と前記ハードディスクドライブとの間に仲介して接続され、前記処理部からの情報を前記ハードディスクドライブに転送する制御および前記ハードディスクドライブからの情報を前記処理部に転送する制御を行うハードディスクドライブ制御部と、
前記ハードディスクドライブ制御部に付設され、前記処理部から前記ハードディスクドライブに転送されるべき情報が前記ハードディスクドライブに記録されるのを防止する記録防止部と
を具備することを特徴とする携帯電話端末。
【請求項２】
前記ハードディスクドライブが、記録ヘッドと、前記記録ヘッドの健全性を検知するヘッドアンセーフ検知部と、前記ヘッドアンセーフ検知部の検知結果に基づいて前記処理部からの情報の記録／非記録を切り替えるローカル制御部とを有し、
前記記録防止部が、前記処理部から前記ハードディスクドライブに転送されるべき情報が前記ハードディスクドライブに記録されるのを防止するのに、前記ハードディスクドライブの前記ローカル制御部を利用すること
を特徴とする請求項１記載の携帯電話端末。
【請求項３】
携帯電話端末としての契約解除の旨の情報の保持および／または契約中である旨の情報の保持が可能な契約情報保持部をさらに具備し、
前記記録防止部が、前記処理部から前記ハードディスクドライブに転送されるべき情報が前記ハードディスクドライブに記録されるのを防止するのに前記契約情報保持部の内容に基づいてこれを行うこと
を特徴とする請求項１記載の携帯電話端末。
【請求項４】
前記記録防止部が、前記処理部から前記ハードディスクドライブに転送されるべき情報が前記ハードディスクドライブに記録されるのを防止するのに、記録防止の旨の入力がハードディスクドライブ制御部になされたことに基づいてこれを行うこと
を特徴とする請求項１記載の携帯電話端末。
【請求項５】
前記処理部が、撮像部および画像表示部を含み、
前記ハードディスクドライブが、前記処理部の前記撮像部により撮像された画像情報および前記処理部の前記画像表示部に表示させるべき画像情報を保持可能であること
を特徴とする請求項１記載の携帯電話端末。
【請求項６】
送受信部を含む処理部と、前記処理部により処理され得る情報および前記処理部により処理された情報を保持可能なハードディスクドライブと、前記処理部と前記ハードディスクドライブとの間に仲介して接続され、前記処理部からの情報を前記ハードディスクドライブに転送する制御および前記ハードディスクドライブからの情報を前記処理部に転送する制御を行うハードディスクドライブ制御部とを有し、前記ハードディスクドライブ制御部が、前記ハードディスクドライブに対する記録コマンド発行を伴って前記処理部から前記ハードディスクドライブに情報を転送する携帯電話端末において、
前記ハードディスクドライブ制御部が、
前記記録コマンド発行に際してあらかじめ記録コマンド発行禁止フラグが立っているか否かを確認し、
前記記録コマンド発行禁止フラグが立っている場合に前記記録コマンドの発行を取り止めること
を特徴とする携帯電話端末の制御方法。
【請求項７】
送受信部を含む処理部と、
前記処理部により処理され得る情報および前記処理部により処理された情報を保持可能なハードディスクドライブと、
前記処理部と前記ハードディスクドライブとの間に仲介して接続され、前記処理部からの情報を前記ハードディスクドライブに転送する制御および前記ハードディスクドライブからの情報を前記処理部に転送する制御を行い、かつ前記ハードディスクドライブに対する記録コマンド発行を伴って前記処理部から前記ハードディスクドライブに情報を転送するハードディスクドライブ制御部と、
前記ハードディスクドライブ制御部に付設され、前記ハードディスクドライブ制御部による前記記録コマンド発行を禁止する旨の情報を記録可能で、かつ前記ハードディスクドライブ制御部の前記記録コマンド発行に際してあらかじめ前記ハードディスクドライブ制御部に記録コマンド発行を禁止する旨の前記情報を提供する記録コマンド発行禁止フラグ保持部と
を具備することを特徴とする携帯電話端末。
【発明の詳細な説明】
【技術分野】
【０００１】
本発明は、携帯して使用する携帯電話端末およびその制御方法に係り、特に、記憶部としてハードディスクドライブを内蔵する携帯電話端末およびその制御方法に関する。
【背景技術】
【０００２】
携帯電話端末の分野では通話以外の機能を搭載する多機能化が進んでいる。すでにデータ通信によるブラウザフォンとしての機能はごく一般的であり、これに伴い扱う情報、例えば音声や画像の容量も増加の一途である。したがって、携帯電話端末に求められる記憶メモリ容量も必然的に大容量が必要になっている。
【０００３】
メモリへの書き込みおよび読み出しは、一般的に、容量が許容する限りユーザの自由になされるが、一方である種の制限を設けた方がよい場合もある。携帯電話端末とは少し異なる装置であるがこのような制限を設けるための技術として下記特許文献１に記載のものがある。この装置では、本体の電源オフに伴ってメモリモジュールへの書き込みを禁止するフラグが立つようにされている。これにより再度電源オンになった場合に不用意に書き込みがなされてもとのデータを消去されることがないようにしている。
【特許文献１】特公平３−１５２１２号公報
【発明の開示】
【発明が解決しようとする課題】
【０００４】
携帯電話端末に大容量メモリを備えるためには、端末の可搬性に鑑みて現状では小型のハードディスクドライブを内蔵することが有力である。このようなハードディスクドライブが内蔵された場合においても情報の書き込みを制限することが求められる場合があると考えられる。
【０００５】
本発明は、上記の状況を考慮してなされたもので、携帯して使用する携帯電話端末およびその制御方法において、内蔵するハードディスクドライブへの書き込みの制限を端末として設けることが可能な携帯電話端末およびその制御方法を提供することを目的とする。
【課題を解決するための手段】
【０００６】
上記の課題を解決するため、本発明に係る携帯電話端末は、送受信部を含む処理部と、前記処理部により処理され得る情報および前記処理部により処理された情報を保持可能なハードディスクドライブと、前記処理部と前記ハードディスクドライブとの間に仲介して接続され、前記処理部からの情報を前記ハードディスクドライブに転送する制御および前記ハードディスクドライブからの情報を前記処理部に転送する制御を行うハードディスクドライブ制御部と、前記ハードディスクドライブ制御部に付設され、前記処理部から前記ハードディスクドライブに転送されるべき情報が前記ハードディスクドライブに記録されるのを防止する記録防止部とを具備することを特徴とする。
【０００７】
すなわち、送受信部を含む処理部とハードディスクドライブとの間に介在するハードディスクドライブ制御部に、記録防止部を設ける。記録防止部は、処理部からハードディスクドライブに転送されるべき情報がハードディスクドライブに記録されるのを防止する。「処理部からハードディスクドライブに転送されるべき情報」は本来であればハードディスクドライブに記録される情報であるが、この情報の記録が防止されるように記録防止部は機能する。したがって、内蔵するハードディスクドライブへの書き込みの制限を端末として設けることが可能である。
【０００８】
また、本発明に係る携帯電話端末の制御方法は、送受信部を含む処理部と、前記処理部により処理され得る情報および前記処理部により処理された情報を保持可能なハードディスクドライブと、前記処理部と前記ハードディスクドライブとの間に仲介して接続され、前記処理部からの情報を前記ハードディスクドライブに転送する制御および前記ハードディスクドライブからの情報を前記処理部に転送する制御を行うハードディスクドライブ制御部とを有し、前記ハードディスクドライブ制御部が、前記ハードディスクドライブに対する記録コマンド発行を伴って前記処理部から前記ハードディスクドライブに情報を転送する携帯電話端末において、前記ハードディスクドライブ制御部が、前記記録コマンド発行に際してあらかじめ記録コマンド発行禁止フラグが立っているか否かを確認し、前記記録コマンド発行禁止フラグが立っている場合に前記記録コマンドの発行を取り止めることを特徴とする。
【０００９】
すなわち、この制御方法は、ハードディスクドライブに情報を記録する場合に記録コマンド発行がなされるが、その際にあらかじめ記録コマンド発行禁止フラグが立っているか否かを確認し、記録コマンド発行禁止フラグが立っている場合には記録コマンドの発行を取り止める。記録コマンド発行禁止フラグが立っている場合に記録コマンドの発行を取りやめるので情報の記録はなされない。よって、内蔵するハードディスクドライブへの書き込みの制限を端末として設けることが可能である。
【００１０】
また、本発明に係る別の携帯電話端末は、送受信部を含む処理部と、前記処理部により処理され得る情報および前記処理部により処理された情報を保持可能なハードディスクドライブと、前記処理部と前記ハードディスクドライブとの間に仲介して接続され、前記処理部からの情報を前記ハードディスクドライブに転送する制御および前記ハードディスクドライブからの情報を前記処理部に転送する制御を行い、かつ前記ハードディスクドライブに対する記録コマンド発行を伴って前記処理部から前記ハードディスクドライブに情報を転送するハードディスクドライブ制御部と、前記ハードディスクドライブ制御部に付設され、前記ハードディスクドライブ制御部による前記記録コマンド発行を禁止する旨の情報を記録可能で、かつ前記ハードディスクドライブ制御部の前記記録コマンド発行に際してあらかじめ前記ハードディスクドライブ制御部に記録コマンド発行を禁止する旨の前記情報を提供する記録コマンド発行禁止フラグ保持部とを具備することを特徴とする。
【００１１】
この端末は、上記の制御方法が利用可能になるように記録コマンド発行禁止フラグ保持部を設けたものである。
【発明の効果】
【００１２】
本発明によれば、携帯して使用する携帯電話端末およびその制御方法において、内蔵するハードディスクドライブへの書き込みの制限を端末として設けることが可能になる。
【発明を実施するための最良の形態】
【００１３】
本発明の実施態様として、前記ハードディスクドライブが、記録ヘッドと、前記記録ヘッドの健全性を検知するヘッドアンセーフ検知部と、前記ヘッドアンセーフ検知部の検知結果に基づいて前記処理部からの情報の記録／非記録を切り替えるローカル制御部とを有し、前記記録防止部が、前記処理部から前記ハードディスクドライブに転送されるべき情報が前記ハードディスクドライブに記録されるのを防止するのに、前記ハードディスクドライブの前記ローカル制御部を利用する、とし得る。ハードディスクドライブのローカル制御部は、ヘッドアンセーフであることがわかると記録モードであっても記録しないようにはたらく。そこで記録防止部がこの機能を利用して情報の記録を防止するように構成したものである。
【００１４】
また、実施態様として、携帯電話端末としての契約解除の旨の情報の保持および／または契約中である旨の情報の保持が可能な契約情報保持部をさらに具備し、前記記録防止部が、前記処理部から前記ハードディスクドライブに転送されるべき情報が前記ハードディスクドライブに記録されるのを防止するのに前記契約情報保持部の内容に基づいてこれを行う、とすることができる。携帯電話端末として契約中であるか否かによりハードディスクドライブに対し必要なアクセスは異なると考えられる。そこで契約中であるか否かの情報を契約情報保持部から得て、これに基づき記録防止部はハードディスクドライブに情報が記録されるのを防止する。
【００１５】
また、実施態様として、前記記録防止部が、前記処理部から前記ハードディスクドライブに転送されるべき情報が前記ハードディスクドライブに記録されるのを防止するのに、記録防止の旨の入力がハードディスクドライブ制御部になされたことに基づいてこれを行う、とすることができる。これは記録防止の旨が外部から意図的に入力されるようにした場合の構成である。
【００１６】
また、実施態様として、前記処理部が、撮像部および画像表示部を含み、前記ハードディスクドライブが、前記処理部の前記撮像部により撮像された画像情報および前記処理部の前記画像表示部に表示させるべき画像情報を保持可能である、とすることができる。これはいわゆるカメラ付携帯電話端末とする場合の構成である。画像情報も処理部で処理され得る情報の一種である。
【００１７】
以上を踏まえ、以下では本発明の実施形態を図面を参照しながら説明する。図１は、本発明の一実施形態に係る携帯電話端末の構成を示すブロック図である。図１に示すように、この携帯電話端末１は、処理部１０、ハードディスクドライブ（以下、ＨＤＤと記す）２０、ＨＤＤ制御部３０を有する。
【００１８】
処理部１０は、携帯電話端末１の大容量記憶部を除く本体部分であり、送受信部１１、ボタン入力部１２、表示部／撮像部１３、契約情報保持部１４ａを含むメモリ１４、送受話部１５、制御部１６、インターフェース１７を有する。ＨＤＤ２０は、携帯電話端末１の大容量記憶部として機能するものであり、ハードディスク２１、記録再生ヘッド２２、記録再生アンプ２３、Ｒ／Ｗチャネル（リード／ライトチャネル）２４、ＨＤＣ／ＣＰＵ（hard disc controller ／ central processing unit）２５、プルアップ抵抗２６を有する。ＨＤＤ制御部３０は、処理部１０とＨＤＤ２０との間に仲介して接続され、処理部１０からの情報をＨＤＤ２０に転送する制御およびＨＤＤ２０からの情報を処理部１０に転送する制御を行う。コントローラ３１、ＦＲＯＭ（flash ROM（read only memory））３２、トランジスタスイッチ３３を有する。
【００１９】
この携帯電話端末１の構成上の特徴として、ＨＤＤ制御部３０に、トランジスタスイッチ３３を有することが挙げられる。トランジスタスイッチ３３のベースはコントローラ３１に、エミッタはグラウンドに、コレクタはＨＤＤ２０内にあるＨＤＣ／ＣＰＵ２５の特定の入力端子（後述する）にそれぞれ接続されている。トランジスタスイッチ３３は記録防止部として機能する。
【００２０】
各部の機能を以下述べる。まず処理部１０については、送受信部１１は、アンテナを含み、制御部１６の制御の下、所定の電波を送信すべき音声、データ、画像などの情報で変調して放射し、また受信すべきそれらの情報を放射された電波を受信して復調し取得するものである。ボタン入力部１２は、ユーザがこの携帯電話端末１に操作を入力するマンマシンインターフェースである。操作入力は制御部１６により受け取られて各部へ送られる。
【００２１】
表示部／撮像部１３は、制御部１６の制御の下、表示部として各種の情報の表示を行うものである。また、撮像部として、カメラを含み、制御部１３の制御の下、光学入力される像を電気信号に変換するものである。表示部／撮像部１３の撮像で得られた情報（画像情報）は制御部１６、ＨＤＤ制御部３０を介してＨＤＤ２０のハードディスク２１に記録可能である。また、ハードディスク２１に記録された画像情報は、ＨＤＤ制御部３０、制御部１６を介して表示部／撮像部１３に表示させることが可能である。
【００２２】
メモリ１４は、処理部１０全体としての動作に必要な情報を保持しておく記憶領域である。記憶内容は必要に応じて制御部１６により参照され、またＨＤＤ制御部３０に送られる。また、メモリ１４には、制御部１６を介して、送受信部１１、ボタン入力部１２、表示部／撮像部１３、送受話部１５、インターフェース１７、ＨＤＤ制御部３０などから記憶すべき情報の入力がある。送受話部１５は、電話機として送話するためのマイクロフォンおよび受話するためのスピーカを含む。制御部１６は、処理部１０全体を統括的に制御するものであり、ＣＰＵを含む。インターフェース１７は、コネクタを含み、有線で各種のデータをやり取りするための接続部である。
【００２３】
ＨＤＤ２０については、ハードディスク２１は、円盤状の形状を有し周方向の磁気パターンとして大容量の情報を記憶する記録メディアである。ハードディスク２１に記憶される情報には、例えば文字情報、音声情報、画像情報など各種の情報があり得る。記憶される情報の入力口としては、送受信部１１、ボタン入力部１２、表示部／撮像部１３、送受話部１５、インターフェース１７が挙げられる。これらの入力口から入力された情報ははそれぞれ各所で処理がされ、ＨＤＤ２０のハードディスク２１に記録され得る。また、ハードディスク２０に記録された情報は、読み出されてＨＤＤ制御部３０を介して処理部１０の各所に送られ処理され得る。
【００２４】
記録再生ヘッド２２は、ハードディスク２１に情報を書き込むための電気磁気変換素子である記録ヘッドと、ハードディスク２１から情報を読み出すための磁気電気変換素子である再生ヘッドとからなる。記録再生アンプ２３は、記録ヘッドへの記録電流を生成する記録アンプと、再生ヘッドからの再生電気信号を増幅する再生アンプとを有する。また、記録再生ヘッド２２は、記録ヘッドとの接続においてその健全性を検知するヘッドアンセーフ検知部（図示せず）を有する。ヘッドアンセーフ検知部は、例えば記録電流の周波数や電圧と電流の関係を見ることにより記録ヘッドが壊れていないかを検知するものである。検知結果は、ヘッドアンセーフ信号として生成され、図示するように、プルアップ抵抗２６にプルアップされてＨＤＣ／ＣＰＵ２５の所定入力端子に入力される。
【００２５】
Ｒ／Ｗチャネル２４は、ＨＤＣ／ＣＰＵ２５からの記録データに対してハードディスク２１に記録するための変調を行い、また記録再生ヘッド２３からの再生データに対して復調などの処理を行うものである。ＨＤＣ／ＣＰＵ２５は、ＨＤＤ制御部３０のコントローラ３１からのコマンドに従い、ＨＤＤ２０全体としてのローカル制御を行うものである。記録すべきデータおよび再生されたデータの、ＨＤＤ２０からの出入りの制御を含む。ここでＨＤＣ／ＣＰＵ２５は、上記のように入力されるヘッドアンセーフ信号がローレベルである場合には、記録ヘッドに何らかの異常が生じているので、信頼性を維持するため、コントローラ３１のコマンドにかかわらず記録を行わないように制御を行う。
【００２６】
ＨＤＤ制御部３０については、コントローラ３１は、ＨＤＤ２０に対して記録または再生のコマンド発行を行いＨＤＤ２０の記録または再生の動作を制御するものである。ＦＲＯＭ３２に不揮発に保持されたソフトウエアに従ってこれを行う。ＦＲＯＭ３２は、コントローラ３１が行うコントロール動作に必要なソフトウエアやデータを保持する記憶領域である。トランジスタスイッチ３３は、上記のようにコントローラ３１からの入力がハイレベルのときオンとされ、このとき上記説明のヘッドアンセーフ信号の出力をローレベルとすることができるように接続がされている。
【００２７】
このような構成を有する携帯電話端末１では、ハードディスク２１への記録防止を意図的に設定することができる。例えば、コントローラ３１からトランジスタスイッチ３３への入力が、ＦＲＯＭ３２のある特定の記憶領域の内容に従うようにコントローラ３１が構成されるようにすれば、その内容の書き換えにより意図的な記録防止がされた状態になる。このような書き換えには、例えば、インターフェース１７からその旨の入力を行い、これを制御部１６、ＨＤＤ制御部３０のコントローラ３１を介して送るようにすればよい。または、送受信部１１を入力に用いてもあるいはボタン入力部１２を入力に用いてもよい。
【００２８】
また、この携帯電話端末１が端末として契約状態にあるのかないのかに依存して、自動的に記録防止を設定することもできる。これは、例えば、契約状態にある場合には、ＨＤＤ２０に容量が許容する限り制限なく記録および再生ができるが、契約状態ではない場合にはもはや記録すべき情報はないものとみなして記録防止の状態にするものである。このようにするには、例えば、メモリ１４にある契約情報保持部１４ａの内容に連動して、ＦＲＯＭ３２における上記説明のある特定の記憶領域の内容の書き換えが行われるようにしておき、コントローラ３１については上記と同様に、ＦＲＯＭ３２のそのある特定の記憶領域の内容に従うように構成しておく。この場合、契約情報保持部１４ａは、契約解除の旨の情報を保持するものであっても、または契約中である旨の情報の保持をするものであっても、またはその両方の情報を保持するものであってもよい。
【００２９】
また、記録防止部としてのトランジスタスイッチ３３の入力がコントローラ３１に接続されてない構成も考えられる。この場合には、記録防止の状態とするためにトランジスタスイッチ３３のベースに直接トランジスタスイッチ３３をオンとするような入力電圧を加える。
【００３０】
次に、本発明の別の実施形態に係る携帯電話端末について図２ないし図５を参照して説明する。まず図２は、本発明の別の実施形態に係る携帯電話端末１Ａの構成を示すブロック図である。図２において、図１に示した構成要素と同一のものには同一の符号を付してある。その部分については特に加える事項がない限り説明を省略する。
【００３１】
この実施形態は、図示するように、記録防止部としてのトランジスタスイッチ３３を具備せず、代わりにＦＲＯＭ３２に記録コマンド発行禁止フラグ保持部３２ａを有する。トランジスタスイッチ３３によらず、ソフトウエア的にハードディスク２１に記録がされないようにすることが可能な構成である。
【００３２】
図３は、図２に示す携帯電話端末におけるＨＤＤ制御部３０の記録防止入力検知時動作を示す流れ図である。すなわち携帯電話端末１Ａを記録防止の状態にするときのフローである。ＨＤＤ制御部３０は通常、記録防止の入力を検知し得る状態にある（ステップ４１）。記録防止の旨の情報が入力される入口には、送受信部１１、ボタン入力部１２、表示部／撮像部１３、送受話部１５、インターフェース１７が挙げられる。これらの入口からその情報が入力されると、ＨＤＤ制御部３０のコントローラ３１は、ＦＲＯＭ３２中の記録コマンド発行禁止フラグ保持部３２ａに禁止フラグを保持させる（ステップ４２）。
【００３３】
図４は、図２に示す携帯電話端末の契約解除時におけるＨＤＤ制御部３０の動作を示す流れ図である。すなわち、携帯電話端末１Ａが端末として契約状態にあるのかないのかに依存して携帯電話端末１Ａを自動的にまたは意図的に記録防止の状態にするときのフローである。まず、契約解除に伴い、ＨＤＤ２０に保持された情報を読み出し外部に出力する（ステップ４３）。これは例えば次に契約し使用する携帯電話端末にその情報を移行して保持させるためである。
【００３４】
次に、ＨＤＤ制御部３０は、記録防止の入力を検知し得る状態になる（ステップ４１）。記録防止の旨の情報が入力される入口には、送受信部１１、ボタン入力部１２、表示部／撮像部１３、送受話部１５、インターフェース１７が挙げられる。これらの入口からその情報が入力されると、ＨＤＤ制御部３０のコントローラ３１は、ＦＲＯＭ３２中の記録コマンド発行禁止フラグ保持部３２ａに禁止フラグを保持させる（ステップ４２）。または、図１において説明したように契約解除に伴いメモリ１４の内容が書き換えられるのであれば、これに連動してまたはこの内容に連動してＦＲＯＭ３２中の記録コマンド発行禁止フラグ保持部３２ａに禁止フラグを保持させるようにしてもよい。
【００３５】
図５は、図２に示す携帯電話端末において記録防止がされた後のＨＤＤ制御部３０の動作（記録動作）を示す流れ図である。ＨＤＤ制御部３０として記録コマンドが発行される状態になったときには、コントローラ３１としてまず、ＦＲＯＭ３２の記録コマンド発行禁止フラグ保持部３２ａにアクセスする（ステップ５１）。記録コマンド発行禁止フラグ保持部３２ａに記録コマンド発行禁止フラグが立っていなければ（ステップ５２のＮ）、記録コマンドを発行する（ステップ５３）。これによりＨＤＤ２０は通常どおり記録動作を行う。一方、記録コマンド発行禁止フラグ保持部３２ａに記録コマンド発行禁止フラグが立っている場合には記録コマンドの発行をせず（すなわち取り止めて）、制御をもとに戻す。
【００３６】
以上のように図２に示す実施形態では、トランジスタスイッチ３３のような付加構成要素を必要とせず、携帯電話端末として記録防止の状態に移行させることができる。
【００３７】
なお、以上の説明では、内蔵するハードディスクドライブへの書き込みの制限を端末として設けることを述べたが、同様の考え方により、例えば、カメラ機能付携帯電話であれば解約情報によりカメラ機能停止、ＴＶチューナ付き携帯電話であればＴＶ受信禁止、ＦＭチューナ付き携帯電話であればＦＭ受信禁止などの使用制限をすることができる。
【図面の簡単な説明】
【００３８】
【図１】本発明の一実施形態に係る携帯電話端末の構成を示すブロック図。
【図２】本発明の別の実施形態に係る携帯電話端末の構成を示すブロック図。
【図３】図２に示す携帯電話端末におけるＨＤＤ制御部３０の記録防止入力検知時動作を示す流れ図。
【図４】図２に示す携帯電話端末の契約解除時におけるＨＤＤ制御部３０の動作を示す流れ図。
【図５】図２に示す携帯電話端末において記録防止がされた後のＨＤＤ制御部３０の動作を示す流れ図。
【符号の説明】
【００３９】
１，１Ａ…携帯電話端末、１０…処理部、１１…送受信部、１２…ボタン入力部、１３…表示部／撮像部、１４…メモリ、１４ａ…契約情報保持部、１５…送受話部、１６…制御部、１７…インターフェース、２０…ハードディスクドライブ（ＨＤＤ）、２１…ハードディスク、２２…記録再生ヘッド、２３…記録再生アンプ、２４…Ｒ／Ｗチャネル、２５…ＨＤＣ／ＣＰＵ、２６…プルアップ抵抗、３０…ＨＤＤ制御部、３１…コントローラ、３２…ＦＲＯＭ、３２ａ…記録コマンド発行禁止フラグ保持部、３３…トランジスタスイッチ。
【図１】
2005311615.tif 000003
【図２】
2005311615.tif 000004
【図３】
2005311615.tif 000005
【図４】
2005311615.tif 000006
【図５】
2005311615.tif 000007